(57)【要約】【課題】電線を保持する際に隙間が生じることを防ぐことができるシールドコネクタを提供する。【解決手段】シールドコネクタ１は、シールド電線２及び雌端子部２５を保持する雌ハウジング５と、シールド電線２及び雌ハウジング５を挿通させて保持する導電性のシールドシェル６と、を備えて構成され、シールドシェル６は、シェル本体６１と、シェル蓋材６２と、シェル本体６１とシェル蓋材６２とを固定する固定部６３と、を有して構成され、シェル蓋材６２には、シールドコネクタ１の接続方向Ｘに沿ってシェル本体６１に向かって突出した突出部６２３が形成され、シェル本体６１には、突出部６２３を受け入れるとともに、シールド電線２及び雌ハウジング５の保持方向Ｚから当接可能な受入部６１５が形成されている。【選択図】図３
2015015167.tif 000002
【特許請求の範囲】
【請求項１】
電線及び該電線の先端に固定された端子金具を保持するとともに相手側コネクタに接続されるシールドコネクタであって、
前記電線及び前記端子金具を保持するハウジングと、前記電線及び前記ハウジングを内周面側に挿通させて保持するシールド部材と、を備えて構成され、
前記シールド部材は、第一シールド部材と、第二シールド部材と、該シールド部材の外周面側に設けられて、前記第一シールド部材と前記第二シールド部材とを固定する固定部と、を有して構成され、
前記第一シールド部材と前記第二シールド部材とは、前記相手側コネクタと接続する接続方向に沿って組み付けられて、前記電線及び前記ハウジングを前記接続方向に直交する保持方向両側から挟んで保持し、
前記第一シールド部材及び前記第二シールド部材の一方には、前記接続方向に沿って他方に向かって突出した突出部が形成され、
他方には、前記突出部を受け入れるとともに前記保持方向から該突出部と当接可能な受入部が形成され、
前記固定部は、前記第一シールド部材に連続して形成される第一固定部と、前記第二シールド部材に連続して形成される第二固定部と、前記第一固定部と前記第二固定部とを固定する固定具と、を有して構成されることを特徴とするシールドコネクタ。
【請求項２】
前記第一シールド部材の前記接続方向前方側には、筒状に形成されて前記ハウジングの外周面を覆う筒部が形成され、
前記突出部は、前記第二シールド部材に形成され、
前記受入部は、前記筒部の内周面に設けられることを特徴とする請求項１に記載のシールドコネクタ。
【請求項３】
前記固定部は、前記接続方向に直交する幅方向の一方側に設けられ、
前記突出部は、前記電線及び前記ハウジングを挟んだ前記幅方向の両側に設けられていることを特徴とする請求項１又は２に記載のシールドコネクタ。
【発明の詳細な説明】
【技術分野】
【０００１】
本発明は、電線及び該電線の先端に固定された端子金具を保持するとともに、相手側コネクタに接続されるシールドコネクタに関する。
【背景技術】
【０００２】
従来、電子機器等の接続対象物に電力を供給する際には、電力を供給する電線の端部と接続対象物の端部に設けられたコネクタ同士が嵌合して接続されており、その接続のためのシールドコネクタが種々提案されている（例えば、特許文献１参照）。
【０００３】
特許文献１に記載のシールドコネクタは、電線と、電線の一端部を保持するハウジングと、電線及びハウジングを保持するアウタケースと、を備え、アウタケースは、シールドシェルと、シールドシェルとは反対側から電線及びコネクタを保持するシェルホルダと、を有して構成され、シールドシェルに電線及びハウジングが挿通され、シールドシェル及びシェルホルダの幅方向の中央付近にそれぞれ設けられた固定部において、固定具を用いてシールドシェルとシェルホルダとを螺合して固定することにより、電線及びハウジングが保持される。
【先行技術文献】
【特許文献】
【０００４】
【特許文献１】特開２００７−１１５４２８号公報
【発明の概要】
【発明が解決しようとする課題】
【０００５】
しかしながら、特許文献１に記載の従来のシールドコネクタは、シールドシェルとシェルホルダとを固定する固定具を電線及びハウジングの収容空間に挿通させて固定すると、電線及びコネクタを避けて固定する必要がある。そこで、固定部をアウタケースの外側に設けてシールドシェルとシェルホルダとを固定することにより、電線及びコネクタを避ける必要が無くなるが、シールドシェルとシェルホルダとを固定する力が偏るため、シールドシェルとシェルホルダとの間に隙間が生じやすくなり、アウタケースによる電磁波の遮蔽性が低下するという問題があった。
【０００６】
従って、本発明は、上記のような問題点に着目し、電線を保持する際に隙間が生じることを防ぐことができるシールドコネクタを提供することを目的とする。
【課題を解決するための手段】
【０００７】
上記課題を解決するために、本発明のシールドコネクタは、電線及び該電線の先端に固定された端子金具を保持するとともに相手側コネクタに接続されるシールドコネクタであって、前記電線及び前記端子金具を保持するハウジングと、前記電線及び前記ハウジングを内周面側に挿通させて保持するシールド部材と、を備えて構成され、前記シールド部材は、第一シールド部材と、第二シールド部材と、該シールド部材の外周面側に設けられて、前記第一シールド部材と前記第二シールド部材とを固定する固定部と、を有して構成され、前記第一シールド部材と前記第二シールド部材とは、前記相手側コネクタと接続する接続方向に沿って組み付けられて、前記電線及び前記ハウジングを前記接続方向に直交する保持方向両側から挟んで保持し、前記第一シールド部材及び前記第二シールド部材の一方には、前記接続方向に沿って他方に向かって突出した突出部が形成され、他方には、前記突出部を受け入れるとともに前記保持方向から該突出部と当接可能な受入部が形成され、前記固定部は、前記第一シールド部材に連続して形成される第一固定部と、前記第二シールド部材に連続して形成される第二固定部と、前記第一固定部と前記第二固定部とを固定する固定具と、を有して構成されることを特徴とする。
【０００８】
本発明によれば、第一シールド部材及び第二シールド部材の一方には、接続方向に沿って突出した突出部が形成され、他方には、突出部を受け入れるとともに突出部と当接可能な受入部が形成されていることから、第一シールド部材と第二シールド部材とを固定する力が偏って第一シールド部材及び第二シールド部材の一方が他方から浮きあがろうとしても、突出部が受入部に当接して浮き上がらなくなり、第一シールド部材と第二シールド部材との間に隙間が生じることを防止することができる。
【０００９】
また、請求項１に記載のシールドコネクタにおいて、前記第一シールド部材の前記接続方向前方側には、筒状に形成されて前記ハウジングの外周面を覆う筒部が形成され、前記突出部は、前記第二シールド部材に形成され、前記受入部は、前記筒部の内周面に設けられることが好ましい。
【００１０】
このような構成によれば、第一シールド部材に形成された筒部の内周面に受入部が形成され、第二シールド部材には突出部が形成されることから、第二シールド部材の突出部を筒部の内周面に当接させて第二シールド部材の浮き上がりを防止することができ、簡易な構造によって第一シールド部材と第二シールド部材との間に隙間が生じることを防止することができる。
【００１１】
また、請求項１又は２に記載のシールドコネクタにおいて、前記固定部は、前記接続方向に直交する幅方向の一方側に設けられ、前記突出部は、前記電線及び前記ハウジングを挟んだ前記幅方向の両側に設けられていることが好ましい。
【００１２】
このような構成によれば、第一シールド部材と第二シールド部材とを固定する固定部が幅方向の一方側に設けられており、固定具により固定したときに、幅方向の他方側において第一シールド部材と第二シールド部材との間に隙間が生じやすくなる。しかし、電線及びハウジングを挟んだ幅方向両側に突出部が設けられているため、隙間が生じやすい幅方向において第一シールド部材及び第二シールド部材の一方が他方から浮き上がらなくなり、第一シールド部材と第二シールド部材との間に隙間が生じることをより確実に防止することができる。
【発明の効果】
【００１３】
以上のような本発明のコネクタによれば、固定部において第一シールド部材と第二シールド部材とを固定した際に、突出部が受入部に当接して浮き上がらなくなることから、第一シールド部材と第二シールド部材との間に隙間が生じることを防止することができ、シールド部材の遮蔽性を保つことができる。
【図面の簡単な説明】
【００１４】
【図１】本発明の一実施形態に係るシールドコネクタを示す斜視図である。
【図２】前記シールドコネクタを示す図１の矢視ＩＩ−ＩＩ線断面図である。
【図３】前記シールドコネクタの部材を示す斜視図である。
【図４】前記シールドコネクタの分解斜視図である。
【図５】前記シールドコネクタを示す図１の矢視Ｖ−Ｖ線断面図である。
【発明を実施するための形態】
【００１５】
以下、本発明の実施形態を図１〜５を参照して説明する。本実施形態のシールドコネクタ１は、図１，２に示すように、ワイヤハーネスを構成する二本のシールド電線２及びシールド電線２の先端に固定された雌端子部２５を保持するとともに、図示しない電気機器に接続された雄端子部３１を収容する機器側コネクタ３に接続されるものである。また、シールドコネクタ１と機器側コネクタ３とは、固定具であるボルト４により、それぞれユニットケースＵに固定される。本実施形態におけるシールドコネクタ１は、例えば、バッテリ、モータ、及び、インバータ等を備えた車両において、これらの電気機器同士を電気的に接続する。
【００１６】
シールドコネクタ１は、シールド電線２及び雌端子部２５を保持する絶縁樹脂製の雌ハウジング５と、シールド電線２及び雌ハウジング５を挿通させて保持する導電性のシールドシェル６と、を備えて構成されている。なお、本実施形態において、シールドコネクタ１が機器側コネクタ３と接続する方向を接続方向Ｘとし、矢印Ｘで示す。また、接続方向Ｘと直交するシールドコネクタ１の幅方向を矢印Ｙで示し、シールドシェル６よるシールド電線２及び雌ハウジング５の保持方向は矢印Ｚで示す。接続方向Ｘにおける機器側及びハーネス側は図１，２に示す通りとし、矢印Ｚ方向における上下は、図１を基準とする。
【００１７】
二本のシールド電線２は、幅方向Ｙを配列方向として並んで設けられ、複数の素線を撚った撚線等からなる導体２１と、導体２１の周囲を覆う絶縁性の合成樹脂等からなる内部絶縁被覆２２と、内部絶縁被覆２２の周囲に設けられる編組等の導体からなるシールド部２３と、シールド部２３の周囲を覆う絶縁性の合成樹脂等からなる外部絶縁被覆２４と、をそれぞれ有して構成された同軸ケーブルである。シールド電線２のうちシールドコネクタ１に収容される部分には、導体２１の先端に接続される雌端子部２５と、外部絶縁被覆２４の外側に設けられてシールドシェル６内への水の浸入を防ぐパッキン２６と、シールド部２３とパッキン２６とを加締めて固定する環状のシールドパイプ２７と、ゴム等の弾性材料から全体筒状に形成されるとともにシールド電線２と雌ハウジング５との間をシールするシール部材２８と、が設けられている。シールドパイプ２７はシールド部２３と電気的に接続され、接続部材として機能する。
【００１８】
機器側コネクタ３は、絶縁樹脂によって一体に形成された雄ハウジング３０を備え、雄ハウジング３０は、雄端子部３１が挿通される挿通部３２と、ユニットケースＵに固定される第二接続固定部３３と、を有して形成されている。また、雄ハウジング３０は、接続方向Ｘのハーネス側においてはシールドシェル６の内側に沿うとともに、機器側においてはユニットケースＵの後述する開口部Ｕ１に沿った形状及び寸法を有して形成されている。
【００１９】
ユニットケースＵは、電気機器を収容する導電性の筐体であって、全体が電気的に接地されている。また、ユニットケースＵは、機器側コネクタ３を取り付けるための開口部Ｕ１が形成されるとともに、第一接続固定部６１３及び第二接続固定部３３に対応した位置においてねじ切り加工されている。
【００２０】
雌ハウジング５は、図２，３に示すように、略直方体状に形成されて後述するシールドシェル６の第一収容部６ａに沿った外側形状を有するとともに、接続方向Ｘの機器側に設けられて、コネクタ３の雄端子部３１を受け入れて接続される接続部５１と、接続方向Ｘのハーネス側からシールド電線２を導出させる電線導出部５２と、接続部５１と電線導出部５２とに亘って接続方向Ｘに沿って延びる四面の外周面部５３と、を有して形成されている。四面の外周面部５３のうち、後述するシェル本体６１のリブ６１６が形成された面と当接する外周面部５３ａには、接続方向Ｘに沿ってハーネス側の端部まで設けられて、シェル本体６１のリブ６１６をハーネス側の端部まで受け入れる溝部５４が形成されている。
【００２１】
シールドシェル６は、図３，４に示すように、シェル本体６１と、シェル蓋材６２と、シェル本体６１とシェル蓋材６２とを固定する固定部６３と、を備えて構成され、シェル本体６１とシェル蓋材６２とはＺ方向を対向方向とする一対のシールドシェルとして機能するとともに、雌ハウジング５を収容する第一収容部６ａと、シールド電線２及びシールドパイプ２７を収容する第二収容部６ｂと、を形成する。
【００２２】
シェル本体６１は、図３，４に示すように、組み付け時に雌ハウジング５の外周面に当接する筒状の筒部６１１と、筒部６１１のハーネス側から延びてシールド電線２に当接する本体側電線保持部６１２と、ユニットケースＵに固定するための第一接続固定部６１３と、後述する機器側コネクタ３の第二接続固定部３３に沿った切欠き６１４と、後述するシェル蓋材６２の突出部６２３を受け入れる受入部６１５と、シェル本体６１の内周面側からシェル蓋材６２側に立設して、接続方向Ｘの機器側に沿って第一収容部６ａ内に延びたリブ６１６と、を有して形成されている。第一接続固定部６１３は、筒部６１１の機器側の端部に設けられている。受入部６１５は、図５に示すように、筒部６１１の内周面に連続して設けられ、ＸＹ平面に沿った当接面部６１５ａを有して形成され、当接面部６１５ａは後述するシェル蓋材６２の突出部６２３に当接可能である。
【００２３】
シェル蓋材６２は、図３，４に示すように、第二収容部６ｂ側においてシールド電線２のＺ方向上側に当接する上面部６２１と、上面部６２１からＺ方向下側に延びる一対の側面部６２２と、一対の側面部６２２からそれぞれ接続方向Ｘの機器側に向かって突出する突出部６２３と、を有して形成されている。
【００２４】
固定部６３は、機器側コネクタ３の第二接続固定部３３と接続方向Ｘに対向する幅方向Ｙの一方側かつシールドシェル６の外周面側に設けられ、シェル本体６１に連続して形成される本体側固定部６３１と、シェル蓋材６２に連続して形成される蓋側固定部６３２と、本体側固定部６３１と蓋側固定部６３２とを固定する固定具であるボルト６３３と、を有して構成されている。本体側固定部６３１と蓋側固定部６３２には、それぞれ、ボルト６３３を保持方向Ｚの上側から挿通する挿通穴６３４，６３５が形成され、挿通穴６３４はねじ切り加工され、挿通穴６３５は貫通している。
【００２５】
次に、シールドコネクタ１の組立方法の一例を説明する。
【００２６】
まず、シールド端子２６、シールドパイプ２７、シール部材２８、及び、雌端子部２５が取り付けられたシールド電線２を雌ハウジング５に挿通させ、シールド電線２を電線導出部５１から導出させる。
【００２７】
次に、このような雌ハウジング５の溝部５４にシェル本体６１のリブ６１６を併せて、雌ハウジング５及びシールド電線２をシェル本体６１における第一収容部６ａ及び第二収容部６ｂに収容し、シェル蓋材６２を図３の矢印Ａ方向に回転させて、シェル蓋材６２の突出部６２３をシェル本体６１の受入部６１５に接続方向Ｘのハーネス側から挿入するようにして、シェル蓋材６２を組み付ける。さらに、蓋側固定部６３２の挿通穴６３５から本体側固定部６３１の挿通穴６３４にボルト６３３を挿通させて螺合し、本体側固定部６３１と蓋側固定部６３２とを固着することにより、シェル蓋材６２とシェル本体６１とを固定する。ボルト６３３を用いて螺合することにより、固定部６３が設けられた幅方向Ｙの反対側において、シェル蓋材６２がシェル本体６１から浮き上がろうとする場合があるが、シェル蓋材６２の突出部６２３がシェル本体６１の受入部６１５の当接面部６１５ａに当接する。
【００２８】
次に、シールドコネクタ１と機器側コネクタ３とを接続するとともにユニットケースＵに固定する方法の一例を説明する。
【００２９】
まず、機器側コネクタ３をユニットケースの開口部Ｕ１に挿通するとともに、電気機器の雄端子部３１を挿通部３２に挿通させ、第二接続固定部３３をボルト４によってユニットケースＵに固定する。次に、シェル本体６１の切欠き６１４を第二接続固定部３３に合わせつつ雄ハウジング３０がシールドシェル６の内側に沿うように、シールドコネクタ１と機器側コネクタ３とを接続し、雌端子部２５に雄端子部３１を挿通して電気的に接続する。さらに、第一接続固定部６１３をボルト４によってユニットケースＵに固定することで、接続が完了する。
【００３０】
シールドシェル６がユニットケースＵに接触するとともに、シールドシェル６の収容部３ｂ側の内面においてシールドパイプ２７に当接し、シールドパイプ２７がシールド部２３と電気的に接続されていることで、ユニットケースＵ、シールドシェル６、シールドパイプ２７、及び、シールド部２３は等電位、即ち、接地電位となり、ユニットケースＵ内、第一収容部６ａ、第二収容部６ｂ、及び、導体２１はシールドされ、外部に電磁波が漏洩すること及び外部から電磁波が侵入することが防がれている。
【００３１】
以上のような本実施形態によれば、シェル蓋材６２には、接続方向Ｘの機器側に突出した突出部６２３が形成され、シェル本体６１には、突出部６２３を受け入れる受入部６１５が設けられ、受入部６１５には、突出部６２３と保持方向Ｚから当接可能な当接面部６１５ａが形成されていることから、固定部６３を固着してシェル本体６１とシェル蓋材６２とを固定する際に、固定する力が偏ってシェル蓋材６２がシェル本体６１から浮きあがろうとしても、突出部６２３が受入部６１５の当接面部６１５ａに保持方向Ｚ下側から当接して浮き上がらなくなり、シェル本体６１とシェル蓋材６２との間に隙間が生じることを防止することができる。従って、シールドシェル６の遮蔽性を保つことができる。
【００３２】
また、受入部６１５は、筒部６１１の内周面に連続して設けられていることから、突出部６２３を受け入れる受入部６１５を新たに設けることなく、簡易な構造によってシェル本体６１とシェル蓋材６２との間に隙間が生じることを防止することができ、シールドシェル６の遮蔽性を保つことができる。
【００３３】
また、シェル本体６１とシェル蓋材６２とを固定する固定部６３は、機器側コネクタ３の第二接続固定部３３と対向する幅方向Ｙの一方側に設けられており、ボルト６３３により固定したときに、幅方向Ｙの他方側において、シェル本体６１とシェル蓋材６２との間に隙間が生じやすくなる。しかし、シェル蓋材６２の一対の側面部６２２にそれぞれ突出部６２３が設けられていることから、幅方向Ｙにおいてシェル蓋材６２が浮き上がらなくなり、シェル本体６１とシェル蓋材６２との間に隙間が生じることをより確実に防止することができ、シールドシェル６の遮蔽性を保つことができる。
【００３４】
なお、本発明は、前記実施形態に限定されるものではなく、本発明の目的が達成できる他の構成等を含み、以下に示すような変形等も本発明に含まれる。
【００３５】
例えば、前記実施形態においては、シェル本体６１に受入部６１５が設けられ、シェル蓋材６２に突出部６２３が形成されていたが、シェル本体６１及びシェル蓋材６２のいずれか一方に突出部６２３が形成され、他方に受入部６１５が形成されていればよく、シェル本体６１に突出部６２３が形成され、シェル蓋材６２に受入部６１５が設けられていてもよい。
【００３６】
また、受入部６１５はシェル本体６１の筒部６１１の内周面に連続して設けられていたが、突出部６２３が受け入れられるとともに、保持方向Ｚに当接可能に形成されていればよく、受入部６１５がシェル本体６１１の外周面側に設けられていてもよい。
【００３７】
また、突出部６２３は、シェル蓋材６２の側面部６２２から突出して形成されていたが、保持方向Ｚから受入部６１５に当接可能に形成されていればよく、例えばシェル蓋材６２の上面部６２１に形成されるなど、側面部６２２とは異なる位置に形成されてもよい。また、突出部６２３は、一対の側面部６２２からそれぞれ突出して形成されていたが、さらに別の位置に加えて設けられていてもよい。なお、突出部６２３が形成される位置や数が前記実施形態と異なる場合は、受入部６１５も突出部６２３に対応する位置に設けられる。
【００３８】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び目的の範囲から逸脱することなく、以上述べた実施形態に対し、形状、材質、数量、その他の詳細な構成において、当業者が様々な変形を加えることができるものである。
【００３９】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４０】
１      シールドコネクタ（コネクタ）
２      シールド電線（電線）
３      機器側コネクタ（相手側コネクタ）
５      雌ハウジング（ハウジング）
６      シールドシェル（シールド部材）
２５    雌端子部（端子金具）
６１    シェル本体（第一シールド部材）
６２    シェル蓋材（第二シールド部材）
６３    固定部
６１１  筒部
６１５  受入部
６２３  突出部
【図１】
2015015167.tif 000003
【図２】
2015015167.tif 000004
【図３】
2015015167.tif 000005
【図４】
2015015167.tif 000006
【図５】
2015015167.tif 000007